(57)【要約】【課題】  遠隔操作により障子の開閉及び施解錠が可能であって、施解錠状態の確認が容易なサッシを提供する。【解決手段】  枠体と、枠体に収めた障子と、電動クレセントと、開閉装置と、表示部とを備え、電動クレセントは、障子を閉状態で施解錠するものであって、施解錠状態を検知する検知手段を備え、開閉装置は、検知手段が電動クレセントの解錠を検知した状態のときに障子を開閉するものであり、表示部は、電動クレセントの施解錠状態を表示する。【選択図】      図１
2013091995.tif 000002
【特許請求の範囲】
【請求項１】
枠体と、枠体に収めた障子と、電動クレセントと、開閉装置と、表示部とを備え、電動クレセントは、障子を閉状態で施解錠するものであって、施解錠状態を検知する検知手段を備え、開閉装置は、検知手段が電動クレセントの解錠を検知した状態のときに障子を開閉するものであり、表示部は、電動クレセントの施解錠状態を表示するものであることを特徴とするサッシ。
【発明の詳細な説明】
【技術分野】
【０００１】
本発明は、遠隔操作により障子の開閉及び施解錠が可能なサッシに関する。
【背景技術】
【０００２】
従来、引違い窓において、遠隔操作により障子の開閉及びクレセントの施解錠を行えるものが提案されている（特許文献１）。これにより、住宅内の高所などに設置された窓でも容易に操作可能であり、また、歩行が困難な人などにとっても非常に便利である。
【先行技術文献】
【特許文献】
【０００３】
【特許文献１】特開２００４−２５０９４６号公報
【発明の概要】
【発明が解決しようとする課題】
【０００４】
ところで、特許文献１の引違い窓は、障子を閉じてクレセントを施錠するまでの一連の動作を自動的に行うものであるが、異物を挟み込むなどしてクレセントが完全に施錠されない場合もあり得る。従来、引違い窓においてクレセントが施錠されているか否かを確認するには、クレセントの向きを目視するしかなかったが、この引違い窓は高所などに設置される場合もあり、その場合にはクレセントを直接目視することができず、施錠されているか否かを確認することができないことが問題であった。
【０００５】
本発明は、上記事情を鑑みたものであり、遠隔操作により障子の開閉及び施解錠が可能であって、施解錠状態の確認が容易なサッシを提供することを目的とする。
【課題を解決するための手段】
【０００６】
本発明は、枠体と、枠体に収めた障子と、電動クレセントと、開閉装置と、表示部とを備え、電動クレセントは、障子を閉状態で施解錠するものであって、施解錠状態を検知する検知手段を備え、開閉装置は、検知手段が電動クレセントの解錠を検知した状態のときに障子を開閉するものであり、表示部は、電動クレセントの施解錠状態を表示するものであることを特徴とする。
【発明の効果】
【０００７】
本発明によれば、表示部が、電動クレセントの施解錠状態を表示するので、サッシが高所などに設けられていて電動クレセントを直接目視できない場合であっても、施錠されているか否かを確認することができる。
【図面の簡単な説明】
【０００８】
【図１】本発明のサッシの室内側正面図である。
【図２】サッシの横断面図である。
【図３】サッシの竪断面図（図１のＡ−Ａ線断面図）である。
【図４】電動ユニットの手動切替についての説明図であり、（ａ）は通常時を、（ｂ）は手動操作時を示す。
【図５】電動クレセントの説明図であり、（ａ）は正面図（左方向視図）、（ｂ）は側面図（室内側方向視図）、（ｃ）はＢ−Ｂ線断面図（通常時）、（ｄ）はＢ−Ｂ線断面図（手動操作時）である。
【発明を実施するための形態】
【０００９】
以下、本発明の実施の形態を図面に基づいて説明する。なお、以下において左右とは、図１における左右を示す。このサッシは、図１〜図３に示すように、四周枠組みした枠体１に、二枚の障子２（左側の室外側障子２ａと、右側の室内側障子２ｂ）を引違いに収めた引違い窓である。枠体１の室内側には額縁７が設けられている。そして、室外側障子２ａの室内側には、開閉装置４が設けられている。開閉装置４は、電動ユニット８と、駆動ユニット９からなり、何れも額縁７にネジ止めしてある。さらに、室内側障子２ｂの召合せ框２１ｂに、電動クレセント３を取り付けてある。また、室外側障子２ａの室外側には、網戸１０が設けられている。
【００１０】
電動ユニット８は、略縦長直方体形状のケース８１を備え、ケース８１は額縁７の左側垂直面にネジ止めしてある。ケース８１には、障子用モータ８２と、シャフト８３と、制御部（図示省略）が内蔵されている。図４に示すように、障子用モータ８２は、軸を下向きにして設けられており、軸の先端にはカップリング８４を取り付けてある。そして、シャフト８３は障子用モータ８２の下方に設けられており、シャフト８３の上端部には、上下動可能な可動端部８５が取り付けられている。可動端部８５の上端には、歯切り加工を施した歯切り部８６が設けられており、この歯切り部８６がカップリング８４と係合して障子用モータ８２の軸の回転がシャフト８３に伝達される。可動端部８５は、内蔵されたバネ８７によって上向きに付勢されており、通常は歯切り部８６がカップリング８４と係合した状態となっているが（図４（ａ））、可動端部８５に当接する解除レバー８８を下げると、可動端部８５がバネ８７の付勢力に逆らって押し下げられ、歯切り部８６とカップリング８４との係合が解除される。解除レバー８８の先端はケース８１から室外側に突出しており、手動操作可能となっている。また、ケース８１の室内側面には、後述の電動クレセント３の施解錠状態を示す表示部５が設けられている。表示部５はＬＥＤからなるもので、電動クレセント３が施錠されていれば消灯し、施錠されていなければ点灯する。さらに、開閉装置４には、リモートコントローラ（図示省略）が付属しており、ケース８１の室内側面には、リモートコントローラから発信される赤外線信号を受信する受信部８９が設けられている。受信部８９はケーブル（図示省略）で制御部と接続されており、受信部８９が受信した信号は制御部に送られ、制御部が信号に従って障子用モータ８２を動作させる。
【００１１】
駆動ユニット９は、略横長直方体形状のケース９１を備え、ケース９１は額縁７の下側水平面にネジ止めしてある。ケース９１の左右幅は、枠体１（左側の竪枠）と室内側障子２ｂの召合せ框２１ｂの間に丁度収まる長さであり、左側端部が電動ユニット８の直下に位置している。そしてケース９１には、駆動プーリ９２と、従動プーリ９３と、タイミングベルト９４が内蔵されている。駆動プーリ９２は、ケース９１内の左側端部に位置しており、従動プーリ９３は、ケース９１内の右側端部に位置していて、何れも垂直軸周りに回転する。そして、駆動プーリ９２と電動ユニット８のシャフト８３が連結される。なお、駆動プーリ９２の中心軸と、電動ユニット８のシャフト８３の中心軸とは、設計上は一致しているが、電動ユニット８と駆動ユニット９は何れも木製の額縁７に取り付けられるものであるから、ネジの締め込み具合によっては両者の中心軸が一致しない場合もあり得る。そこで、駆動プーリ９２とシャフト８３とは、オルダムカップリング９５を介して連結されている。オルダムカップリング９５を用いることにより、駆動プーリ９２とシャフト８３の偏心や偏角を吸収することができる。そして、駆動プーリ９２と従動プーリ９３にタイミングベルト９４が掛け渡されている。さらに、タイミングベルト９４の室外側部分には、室外側障子２ａとタイミングベルト９４とを連結する連結具９６を取り付けてある。連結具９６は、金属板を折り曲げて構成したもので、障子２に平行しタイミングベルト９４に当接する基部９６ａと、基部９６ａの左側端から室外側に延びる連結部９６ｂと、連結部９６ｂの室外側端から左側に延びる取付部９６ｃからなる。そして、基部９６ａと、それと同形状の裏板９７とでタイミングベルト９４を挟み込みネジ止めして、タイミングベルト９４に固定してある。また、取付部９６ｃは、室外側障子２ａの戸先框２２ａの室内側面にネジ止めして固定してある。
【００１２】
開閉装置４はこのように構成されており、電動ユニット８の障子用モータ８２の軸の回転が、シャフト８３を介して駆動ユニット９の駆動プーリ９２に伝達され、駆動プーリ９２が従動プーリ９３とともにタイミングベルト９４を動かして、タイミングベルト９４と連結具９６を介して連結された室外側障子２ａを開閉する。また、解除レバー８８を下げれば、障子用モータ８２とシャフト８３との係合が解除され、室外側障子２ａを手動で開閉できるようになる。
【００１３】
次に、電動クレセント３について説明する。電動クレセント３は、通常のクレセントと同様に、室内側障子２ｂの召合せ框２１ｂに取り付けてあって、鎌部３１を有しており、鎌部３１が回転して室外側障子２ａの召合せ框２１ａに設けた受け部３２に係合することで施錠される。そして電動クレセント３は、この鎌部３１を電動で動作させるための構造を有しており、以下、図５に基づいて詳述する。まず、この電動クレセント３は、略縦長矩形の基板３３を有しており、基板３３が室内側障子２ｂの召合せ框２１ｂに固定される。そして、基板３３の上部に、クレセント用モータ３４が軸を下向きにして取り付けられている。クレセント用モータ３４の軸にはウォームギア３５が取り付けられており、基板３３には、このウォームギア３５に噛み合う第一歯車３６ａが設けられている。さらに、第一歯車３６ａと共通の軸を有し第一歯車３６ａより基板３３側に設けられた第二歯車３６ｂを有し、さらにその下側に第三歯車３６ｃ、第四歯車３６ｄ及び第五歯車３６ｅが設けられている。そして、第五歯車３６ｅが、鎌部３１の回転軸３７と連結されており、クレセント用モータ３４の軸の回転が鎌部３１まで伝達される。また、第三歯車３６ｃは、回転軸の軸方向（基板３３に対して垂直方向）に移動可能となっており、通常はバネ３８によって基板３３側へ付勢されている（図５（ｃ））。そして、第三歯車３６ｃの室内側には、解除レバー３９が設けられている。解除レバー３９は、上下方向軸周りに回転可能であって、室内側に延びる手掛部３９ａと、室外側に延びて第三歯車３６ｃに基板３３側から当接する爪部３９ｂとを有する。解除レバー３９の手掛部３９ａを基板３３側に押すと、爪部３９ｂが、バネ３８の付勢力に逆らって第三歯車３６ｃを基板３３から離す向きに移動させる。すると、第三歯車３６ｃと、隣接する第二歯車３６ｂ及び第四歯車３６ｄとの噛み合いが解除される（図５（ｄ））。これにより、鎌部３１を手動で操作することもできる。また、基板３３はカバー４０で覆われており、鎌部３１以外の構成要素はカバー４０内に収められている。ただし、解除レバー３９の手掛部３９ａは、カバー４０から室内側に突出している。なお、基板３３の上部に設けたクレセント用モータ３４が大きいので、カバー４０は鎌部３１の上側に迫り出す形になる。ここで、鎌部３１とカバー４０との間の隙間が狭くなると、鎌部３１を手動で操作した際に、鎌部３１とカバー４０の間に指を挟むおそれがあるので、カバー４０の鎌部３１上側部分を基板３３側から上向きに傾斜させることで、隙間を広くして指を挟むことを防いでいる（図５（ｂ））。
【００１４】
また、電動クレセント３は、施解錠状態を検知する検知手段６を備えている。検知手段６は、リードスイッチ６１とマグネット６２からなるもので、基板３３の、第五歯車３６ｅに隣接した位置にリードスイッチ６１が取り付けられており、第五歯車３６ｅにマグネット６２が取り付けられている（図５（ｂ）では図示省略）。マグネット６２は、鎌部３１が受け部３２に係合した施錠状態において、リードスイッチ６１に対向するような位置に取り付けられており、施錠することでリードスイッチ６１がオンとなるようになっている。なお、基板３３の上部室外側にはもう一つリードスイッチ６３が取り付けられており、これに対応して室外側障子２ａの召合せ框２１ａにマグネット（図示省略）が取り付けられている。マグネットは、室外側障子２ａを閉じた状態において、リードスイッチ６３に対向するような位置に取り付けられており、室外側障子２ａを閉じることでリードスイッチ６３がオンとなるようになっている。
【００１５】
なお、電動ユニット８には、ケーブル（図示省略）により外部から電源が供給されている。また、電動クレセント３には電動ユニット８から電源が供給されており、さらに、電動クレセント３のクレセント用モータ３４及び二つのリードスイッチ６１，６３は、何れもケーブルで電動ユニット８の制御部と接続されている。よって、すべての動作は電動ユニット８の制御部が制御している。
【００１６】
次に、このサッシの動作について説明する。操作はすべてリモートコントローラによって行われるが、リモートコントローラは、「開」、「閉」及び「停止」の三つのボタンを有している。まず、障子２（室外側障子２ａ）を開く際には、リモートコントローラの「開」ボタンを押す。すると、受信部８９が開信号を受信し、制御部へと送られる。制御部に開信号が入ると、制御部はまず検知手段６により電動クレセント３の施解錠状態を確認する（リードスイッチ６１がオンになっていることにより確認）。施錠状態であれば、電動クレセント３に電源を供給し、クレセント用モータ３４を動作させて解錠する。ここで、電動クレセント３の解錠状態を確認すると（リードスイッチ６１がオフになると）、表示部５のＬＥＤが点灯する。電動クレセント３の鎌部３１が受け部３２から外れた後、さらにクレセント用モータ３４の軸を回転させても、鎌部３１はある程度回転した後それ以上は動かないので、過電流が発生する。この過電流を検出することで、クレセント用モータ３４を停止し、解錠動作を終了する。その後、電源の供給先を電動クレセント３から電動ユニット８に切り替え、電動ユニット８の障子用モータ８２を動作させて室外側障子２ａを開く。なお、異物を挟み込むなどして鎌部３１が半開の状態で止まってしまった場合にも、過電流が発生してクレセント用モータ３４は停止するが、この場合、検知手段６は施錠状態を検知しているので（リードスイッチ６１がオンのまま）、障子用モータ８２の動作は行われない。
【００１７】
次に、障子２（室外側障子２ａ）を閉じる際には、リモートコントローラの「閉」ボタンを押す。すると、受信部８９が閉信号を受信し、制御部へと送られる。制御部に閉信号が入ると、制御部はまず検知手段６により電動クレセント３の施解錠状態を確認する。通常は解錠状態のはずであるが、誤動作した場合や誤って手動操作した場合など、施錠状態（空掛け状態）である場合には、電動クレセント３に電源を供給し、クレセント用モータ３４を動作させて解錠する。なお、異物を挟み込むなどして解錠できない場合（施錠状態のままである場合）、この後の動作は行われない。検知手段６が解錠状態を確認したら、電源の供給先を電動クレセント３から電動ユニット８に切り替え、電動ユニット８の障子用モータ８２を動作させ、室外側障子２ａを閉じる。制御部は、過電流を検出することで障子用モータ８２を停止し、電動クレセント３の上部に設けたリードスイッチ６３がオンになることによって、室外側障子２ａの閉状態を確認する。確認後、電源の供給先を電動ユニット８から電動クレセント３に切り替え、電動クレセント３のクレセント用モータ３４を動作させて施錠する。制御部は、過電流を検出することによって、クレセント用モータ３４を停止し、施錠動作を終了する。そして電動クレセント３の施錠状態を確認すると（リードスイッチ６１がオンになると）、表示部５のＬＥＤが消灯する。
【００１８】
なお、障子の開動作中又は閉動作中に、リモートコントローラの「停止」ボタンを押すことで、動作が停止し、障子を任意の位置で止めることができる。
【００１９】
このように構成した本発明のサッシは、遠隔操作により障子の開閉及び施解錠が可能であって、さらに、表示部が電動クレセントの施解錠状態を表示するので（施錠時にはＬＥＤが消灯し、解錠時にはＬＥＤが点灯する）、サッシが高所などに設けられていて電動クレセントを直接目視できない場合であっても、施錠されているか否かを確認することができる。また、電動ユニットには解除レバーを設けてあって、これを操作することで障子を手動操作することが可能となり、さらに、電動クレセントにも解除レバーを設けてあって、これを操作することで鎌部を手動操作することが可能となるので、停電時などにおいても障子の開閉及び施解錠が可能である。また、電動クレセント及び開閉装置は既設のサッシに後付けすることも可能であるが、電動クレセントは従来のクレセントと交換すればよく、開閉装置（電動ユニット及び駆動ユニット）は額縁に取り付けることができるので、施工が容易である。さらに、開閉装置が電動ユニットと駆動ユニットに分かれているので、たとえば電動ユニットには既製品を用いるなどすれば、コストダウンを図ることができる。また、制御部が電源の供給先を障子用モータとクレセント用モータに適宜切り替えるので、電動クレセントに別途電源を供給する必要がない。
【００２０】
本発明は、上記の実施形態に限定されない。サッシの種類は、引違い窓のほか、片引き窓などであってもよい。また、電動クレセントの施解錠状態をより精度良く検知する手段として、施錠位置を検知するものとは別に、解錠位置を検知するリードスイッチを設けてもよい。その際には、鎌部が受け部から外れた解錠状態において、第五歯車のマグネットに対向するような位置に、別のリードスイッチを設ければよい。さらに、何らかの動作異常が生じた場合には、表示部のＬＥＤを点滅させるなどして、異常を表示するようにしてもよい。また、表示部は、窓から離れた、使用者にとって確認しやすい箇所に設けてもよい。その際、複数の窓の表示部を一つのユニットにまとめて、集中管理できるようにしてもよい。
【符号の説明】
【００２１】
１  枠体
２  障子
３  電動クレセント
４  開閉装置
５  表示部
６  検知手段
【図１】
2013091995.tif 000003
【図２】
2013091995.tif 000004
【図３】
2013091995.tif 000005
【図４】
2013091995.tif 000006
【図５】
2013091995.tif 000007